(57)【要約】【課題】情報の表示に必要とされる消費電力を低下させること。【解決手段】表示制御装置は、ネットワークを介してデータを受信する受信部と、前記受信部によって受信されるデータに基づいて、表示部に情報を表示させる表示制御部と、前記データの受信が開始されてから、前記情報の表示が完了するまでの所定の期間において、前記表示部の光源の輝度を低下させ、前記所定の期間の経過後に前記輝度を復元させる光源制御部とを有する。【選択図】図３
2014072783.tif 000002
【特許請求の範囲】
【請求項１】
ネットワークを介してデータを受信する受信部と、
前記受信部によって受信されるデータに基づいて、表示部に情報を表示させる表示制御部と、
前記データの受信が開始されてから、前記情報の表示が完了するまでの所定の期間において、前記表示部の光源の輝度を低下させ、前記所定の期間の経過後に前記輝度を復元させる光源制御部とを有する表示制御装置。
【請求項２】
前記光源制御部は、前記データの受信が開始されてから所定時間経過後の前記所定の期間において、前記表示部の光源の輝度を低下させる請求項１記載の表示制御装置。
【請求項３】
前記光源制御部は、前記データを受信するための通信状態に応じて、前記所定時間を変化させる請求項２記載の表示制御装置。
【請求項４】
ネットワークを介してデータを受信し、
受信されるデータに基づいて、表示部に情報を表示させ、
前記データの受信が開始されてから、前記情報の表示が完了するまでの所定の期間において、前記表示部の光源の輝度を低下させ、
前記所定の期間の経過後に前記輝度を復元させる処理を、表示制御装置が実行する表示制御方法。
【請求項５】
ネットワークを介してデータを受信し、
受信されるデータに基づいて、表示部に情報を表示させ、
前記データの受信が開始されてから、前記情報の表示が完了するまでの所定の期間において、前記表示部の光源の輝度を低下させ、
前記所定の期間の経過後に前記輝度を復元させる処理を、表示制御装置に実行させるプログラム。
【発明の詳細な説明】
【技術分野】
【０００１】
本発明は、表示制御装置、表示制御方法、及びプログラムに関する。
【背景技術】
【０００２】
スマートフォンや携帯電話等の携帯端末の電源は、通常の使用時においては、充電池から供給される。したがって、充電をせずに、長期間の利用を可能とするためには、消費電力の削減が重要な課題である。
【０００３】
携帯端末の構成部品の中で、消費電力が大きい部品として、液晶ディスプレイの液晶バックライトが挙げられる。したがって、液晶バックライトの消費電力を低下させることができれば、携帯端末全体の消費電力を効果的に低下させることができると考えられる。
【０００４】
そこで、従来、所定時間継続して操作が行われないと、液晶バックライトの輝度を低下させる携帯端末がある。
【先行技術文献】
【特許文献】
【０００５】
【特許文献１】特開２００２−１７６４９４号公報
【発明の概要】
【発明が解決しようとする課題】
【０００６】
しかしながら、所定時間継続して操作が行われない場合に、液晶バックライトの輝度を低下させる方式では、操作が行われない状態が継続しなければ、消費電力の削減効果を十分得ることができない。
【０００７】
そこで、一側面では、情報の表示に必要とされる消費電力を低下させることを目的とする。
【課題を解決するための手段】
【０００８】
一つの案では、表示制御装置は、ネットワークを介してデータを受信する受信部と、前記受信部によって受信されるデータに基づいて、表示部に情報を表示させる表示制御部と、前記データの受信が開始されてから、前記情報の表示が完了するまでの所定の期間において、前記表示部の光源の輝度を低下させ、前記所定の期間の経過後に前記輝度を復元させる光源制御部とを有する。
【発明の効果】
【０００９】
一態様によれば、情報の表示に必要とされる消費電力を低下させることができる。
【図面の簡単な説明】
【００１０】
【図１】本実施の形態における携帯端末の外観の一例を示す図である。
【図２】本実施の形態における携帯端末のハードウェア構成例を示す図である。
【図３】第一の実施の形態における携帯端末の機能構成例を示す図である。
【図４】第一の実施の形態の携帯端末が実行する処理手順の一例を説明するためのフローチャートである。
【図５】タッチパネルの表示状態の遷移例を示す図である。
【図６】第二の実施の形態の携帯端末が実行する処理手順の一例を説明するためのフローチャートである。
【発明を実施するための形態】
【００１１】
以下、図面に基づいて本発明の実施の形態を説明する。図１は、本実施の形態における携帯端末の外観の一例を示す図である。
【００１２】
図１に示されるように、携帯端末１０は、外部から視認可能なハードウェアとして、タッチパネル１０４及びハードキー１０８等を有する。ユーザは、タッチパネル１０４又はハードキー１０８を介して、携帯端末１０に対して入力をすることができる。ユーザは、また、タッチパネル１０４に表示される情報を閲覧することができる。なお、携帯端末１０の一例として、スマートフォン、タブレット型端末等が挙げられる。また、タッチパネル１０４を有さない携帯電話（フィーチャーフォン）が、携帯端末１０として利用されてもよい。
【００１３】
図２は、本実施の形態における携帯端末のハードウェア構成例を示す図である。図２において、携帯端末１０は、ＣＰＵ１０１、メモリ１０２、補助記憶装置１０３、タッチパネル１０４、ハードキー１０８、タイマ１０９、及び無線通信装置１１０等を有する。
【００１４】
補助記憶装置１０３は、携帯端末１０にインストールされたプログラム等を記憶する。メモリ１０２は、プログラムの起動指示があった場合に、補助記憶装置１０３からプログラムを読み出して記憶する。ＣＰＵ１０１は、メモリ１０２に記憶されたプログラムに従って携帯端末１０に係る機能を実現する。
【００１５】
タッチパネル１０４は、入力機能と表示機能との双方を備えた電子部品であり、情報の表示や、ユーザからの入力の受け付け等を行う。タッチパネル１０４は、表示装置１０５、入力装置１０６、及び液晶バックライト１０７等を含む。
【００１６】
表示装置１０５は、液晶ディスプレイ等であり、タッチパネル１０４の表示機能を担う。入力装置１０６は、表示装置１０５に対する接触物の接触を検出するセンサを含む電子部品である。接触物の接触の検出方式は、静電方式、抵抗膜方式、又は光学方式等、公知の方式のいずれであってもよい。なお、接触物とは、タッチパネル１０４に接触する物体をいう。斯かる物体の一例として、ユーザの指や専用又は一般のペン等が挙げられる。液晶バックライト１０７は、表示装置１０５の裏面に配置された光源である。液晶バックライト１０７の発光又は点灯により、表示装置１０５に表示される情報の視認性が向上する。
【００１７】
ハードキー１０８は、所定の指示入力を受け付けるためのボタン又はキーである。タイマ１０９は、時間の経過を計測する。無線通信装置１１０は、無線ＬＡＮ（Local Area Network）又は移動体通信網等における通信を行うために必要とされるアンテナ等の電子部品である。
【００１８】
図３は、第一の実施の形態における携帯端末の機能構成例を示す図である。図３において、携帯端末１０は、通信制御部１２１、表示制御部１２２、及び光源制御部１２３等を有する。これら各部は、携帯端末１０にインストールされた一以上のプログラムが、ＣＰＵ１０１に実行させる処理により実現される。なお、当該プログラムは、予め携帯端末１０の補助記憶装置１０３等に記憶されていてもよいし、ネットワークを介してダウンロードされてもよい。
【００１９】
通信制御部１２１は、無線通信装置１１０を利用して、無線通信を制御する。本実施の形態において、通信制御部１２１は、ネットワークを介したコンテンツデータの受信を制御する。コンテンツデータは、表示情報が記録されたデータである。コンテンツデータの一例として、ＨＴＭＬ（HyperText Markup Language）等によって記述されたＷｅｂページが挙げられる。但し、コンテンツデータは、表示情報を含むデータであれば、Ｗｅｂページ以外のデータであってよい。
【００２０】
表示制御部１２２は、通信制御部１２１によって受信されるコンテンツデータを、表示装置１０５に表示させるブラウザ機能を実現する。光源制御部１２３は、液晶バックライト１０７の輝度（明るさ）を制御する。
【００２１】
以下、携帯端末１０が実行する処理手順について説明する。図４は、第一の実施の形態の携帯端末が実行する処理手順の一例を説明するためのフローチャートである。また、図５は、タッチパネルの表示状態の遷移例を示す図である。図４の処理の開始時点において、タッチパネル１０４の表示状態は、例えば、図５の（１）に示される通り、何らかのコンテンツデータが表示されている状態であるとする。但し、携帯端末１０において、ブラウザ機能以外の機能が起動されている状態が、初期状態であってもよい。
【００２２】
ハードキー１０８又は入力装置１０６を介したユーザの操作、又は表示中のコンテンツデータの定義に基づく自動更新に応じ、通信制御部１２１は、ネットワーク通信によって、コンテンツデータの取得を開始する（Ｓ１０１）。すなわち、コンテンツデータの取得要求が、コンテンツデータの取得先のアドレス（ＵＲＬ（Uniform Resource Locator）等）に送信される。
【００２３】
コンテンツデータの取得の開始に応じ、表示制御部１２２は、表示装置１０５に表示されているブラウザ画面のコンテンツ表示エリアにこれまで表示されていた表示情報（コンテンツ）を消去する（Ｓ１０２）。その結果、タッチパネル１０４の表示状態は、例えば、図５（１）から（２）の状態に切り替わる。この段階において、ブラウザ画面のコンテンツ表示エリアは、空白の状態となる。但し、コンテンツデータを受信中であることをユーザに通知するためのメッセージ等が表示されてもよい。なお、コンテンツデータの取得が開始されてから、コンテンツデータの表示が完了するまでの間の状態を、「コンテンツ受信状態」という。コンテンツデータの表示の完了とは、コンテンツデータに記録されている表示情報の表示の完了をいう。コンテンツデータに記録されている表示情報とは、コンテンツデータ自体の表示情報のみならず、コンテンツデータのリンク先のデータ（例えば、画像データ等）をも含む。すなわち、コンテンツデータの受信は、必ずしも、コンテンツデータの取得要求の送信と、当該取得要求に応じたコンテンツデータの受信との一往復の通信によって完了するとは限らない。コンテンツデータが受信された後、当該コンテンツデータのリンク先ごとにデータの取得要求が送信され、当該取得要求に応じて、各データが受信されるまで、コンテンツデータの受信は完了しない。
【００２４】
続いて、光源制御部１２３は、タイマ１０９を利用して、コンテンツ受信状態の継続時間（経過時間）の計測を開始する（Ｓ１０３）。通信制御部１２１によるコンテンツデータの受信、及び表示制御部１２２によるコンテンツデータの表示が完了するまでの間に（Ｓ１０４でＮｏ）、コンテンツ受信状態の継続時間が、予め設定されている輝度変更時間（例えば、数秒又は数ミリ秒等）を超えると（Ｓ１０５でＹｅｓ）、光源制御部１２３は、液晶バックライト１０７の輝度（明るさ）を現時点の値より所定量低下させる（Ｓ１０６）。その結果、タッチパネル１０４の表示状態は、図５の（３）の状態に遷移する。図５の（３）では、液晶バックライト１０７の輝度が低下された状態が示されている。なお、輝度変更時間とは、コンテンツ受信状態が継続時間に対して、液晶バックライト１０７の輝度の変更タイミングを示す時間である。輝度変更時間や、輝度の低下の程度等は、設定情報として、ユーザによる設定が可能とされてもよい。
【００２５】
その後、コンテンツの受信及び表示が完了すると（Ｓ１０４でＹｅｓ）、光源制御部１２３は、コンテンツ受信状態の継続時間の計測を終了する（Ｓ１０７）。続いて、光源制御部１２３は、液晶バックライト１０７の輝度を、低下前の状態に復元する（Ｓ１０８）。その結果、タッチパネル１０４の表示状態は、図５の（４）に示される状態に遷移する。すなわち、新たに受信されたコンテンツデータが、通常の輝度において表示される。
【００２６】
一方、コンテンツ受信状態の継続時間が輝度変更時間を超える前に（Ｓ１０５でＮｏ）、コンテンツデータの受信及び表示が完了した場合（Ｓ１０４でＹｅｓ）、液晶バックライト１０７の輝度の低下は行われることなく、ステップＳ１０７及びＳ１０８が実行される。この場合、ステップＳ１０８では、実質的には何も行われない。
【００２７】
また、コンテンツ受信状態において、コンテンツデータの表示の中止や別の機能の起動指示等が、ユーザより入力された場合、光源制御部１２３は、液晶バックライト１０７の輝度を復元させる。
【００２８】
なお、コンテンツ受信状態の開始後、直ちに液晶バックライト１０７の輝度を低下させないのは、コンテンツデータの受信及び表示が短時間で完了する場合に、画面がちらつくように見える状態の発生を回避するためである。すなわち、仮に、コンテンツ受信状態の開始後、直ちにコンテンツデータの受信及び表示が完了した場合、ユーザには、画面が暗くなった後、瞬時に明るくなったように見える。このような動作は、ユーザに不自然さを感じさせる。そこで、本実施の形態では、輝度変更時間が経過しても受信及び表示が完了しない場合に、液晶バックライト１０７の輝度が低下されるのである。但し、コンテンツデータの受信の開始又はコンテンツデータの取得要求の送信とほぼ同時に、液晶バックライト１０７の輝度の低下が実行されてもよい。
【００２９】
また、表示制御部１２２は、操作性又は応答性の向上を考慮して、コンテンツデータの全て（リンク先のデータも含む）の受信が完了する前に、コンテンツデータを部分的に表示し、閲覧可能としてもよい。部分的に表示とは、領域的に一部分を表示することだけでなく、画像データについて、解像度が粗い状態で表示することをも含む。このような状況において、コンテンツデータの表示が完全に完了するまで、輝度が低下されたままでは、操作性が損なわれる可能性がある。したがって、輝度が復元されるタイミングは、コンテンツデータの表示が完全に完了する前であってもよい。すなわち、輝度が低下される期間は、コンテンツデータの取得の開始後、コンテンツデータの表示が完了するまでの所定の期間において、適宜定められればよい。所定の期間は、コンテンツデータごとに異なっていてもよい。
【００３０】
また、表示情報の一部のみが更新される場合においては、更新されない領域をユーザが注視することも考えられるため、液晶バックライト１０７の輝度の変更は実行されないようにしてもよい。
【００３１】
上述したように、第一の実施の形態によれば、高い視認性が要求されない期間において、液晶バックライト１０７の輝度が低下される。したがって、操作性の低下を抑制しつつ、携帯端末１０の消費電力を低下させることができる。
【００３２】
消費電力の低下により、携帯端末１０の充電池の持ちを長期化することができる。または、従来同等の電池持ち時間を容量の小さい電池で実現できるため携帯端末１０のコスト削減を図ることもできる。
【００３３】
次に、第二の実施の形態について説明する。第二の実施の形態では第一の実施の形態と異なる点について説明する。したがって、特に言及されない点については、第一の実施の形態と同様でもよい。第二の実施の形態では、通信状態に応じて、輝度変更時間が変化する例について説明する。具体的には、電波状態が悪い場合は、コンテンツデータの受信及び表示の完了までに、より時間を要することが想定される。したがって、この場合、輝度変更時間は短くされる。また、電波を検知できない場合、すなわち、携帯端末１０が、電波の圏外である場合は、コンテンツデータの受信及び表示の完了までに、相当の時間を要することが想定される。したがって、この場合、輝度変更時間は０（ゼロ）とされる。したがって、電波を検知できない場合は、コンテンツデータの取得開始とほぼ同時に、液晶バックライト１０７の輝度が低下する。
【００３４】
図６は、第二の実施の形態の携帯端末が実行する処理手順の一例を説明するためのフローチャートである。
【００３５】
ステップＳ２０１及びＳ２０２は、図４のステップＳ１０１及びＳ１０２と同様でよい。ステップＳ２０３において、光源制御部１２３は、無線通信装置１１０によって検知されている電波強度を確認する。電波強度が通信不能な程度の強さである場合、すなわち、携帯端末１０が電波の圏外である場合（Ｓ２０４でＹｅｓ）、光源制御部１２３は、液晶バックライト１０７の輝度（明るさ）を現時点の値より所定量低下させる（Ｓ２０５）。
【００３６】
一方、電波強度が通信可能な程度な強さである場合（Ｓ２０４でＮｏ）、光源制御部１２３は、電波強度に応じた時間を、輝度変更時間として設定する（Ｓ２０６）。例えば、電波強度の最大値に対応する輝度変更時間を定めておき、最大値に対する現在の電波強度の割合を当該輝度変更時間に乗じることにより、輝度変更時間が算出されてもよい。または、電波強度の範囲ごとに、輝度変更時間が対応付けられて、補助記憶装置１０３等に記憶されていてもよい。いずれの場合であっても、電波強度が強い程、輝度変更時間は長くされる。
【００３７】
続いて、光源制御部１２３は、タイマ１０９を利用して、コンテンツ受信状態の継続時間（経過時間）の計測を開始する（Ｓ２０７）。
【００３８】
以降、ステップＳ２０８〜Ｓ２１２は、図４のステップＳ１０４〜Ｓ１０８と同様でよい。但し、ステップＳ２０８では、ステップＳ２０６において設定された輝度変更時間が使用される。また、ステップＳ２０８以降において、輝度変更時間が経過する前に、電波状態が変化した場合、変化後の電波状態に合わせて輝度変更時間が変更されてもよい。例えば、電波状態が圏外となった場合、輝度変更時間が「０」とされ、即時的に輝度の低下が実行されてもよい。
【００３９】
なお、上記では、電波強度に基づいて通信状態を判定する例を説明したが、例えば、単位時間あたりのデータの転送速度によって、通信状態が判定されてもよい。この場合、例えば、コンテンツデータの受信開始から所定時間内におけるデータの受信量が小さければ小さい程、輝度変更時間を短くしてもよい。
【００４０】
上述したように、第二の実施の形態によれば、通信状態に応じて、輝度変更時間が変更される。したがって、コンテンツデータの受信時間が長くなると予想される状況において、より効果的な消費電力の削減を期待することができる。
【００４１】
なお、上記各実施の形態では、液晶バックライト１０７の制御について記載したが、例えば、ハードキー１０８等にバックライトが有る場合、ハードキー１０８等のバックライトについても同様の制御が行われてもよい。この場合、輝度変更時間は、液晶バックライト１０７と同じでも良いし、異なっていてもよい。
【００４２】
また、上記各実施の形態は、ブラウザ機能を有する情報処理装置であればＰＣ（Personal Computer）等に適用されてもよい。
【００４３】
また、上記各実施の形態では、コンテンツデータが無線通信によって受信される場合を例としたが、コンテンツデータは、有線のネットワークを介して受信されてもよい。
【００４４】
なお、上記各実施の形態において、携帯端末１０は、表示制御装置の一例である。通信制御部１２１は、受信部の一例である。表示装置１０５は、表示部の一例である。
【００４５】
以上、本発明の実施例について詳述したが、本発明は斯かる特定の実施形態に限定されるものではなく、特許請求の範囲に記載された本発明の要旨の範囲内において、種々の変形・変更が可能である。
【００４６】
以上の説明に関し、更に以下の項を開示する。
（付記１）
ネットワークを介してデータを受信する受信部と、
前記受信部によって受信されるデータに基づいて、表示部に情報を表示させる表示制御部と、
前記データの受信が開始されてから、前記情報の表示が完了するまでの所定の期間において、前記表示部の光源の輝度を低下させ、前記所定の期間の経過後に前記輝度を復元させる光源制御部とを有する表示制御装置。
（付記２）
前記光源制御部は、前記データの受信が開始されてから所定時間経過後の前記所定の期間において、前記表示部の光源の輝度を低下させる付記１記載の表示制御装置。
（付記３）
前記光源制御部は、前記データを受信するための通信状態に応じて、前記所定時間を変化させる付記２記載の表示制御装置。
（付記４）
ネットワークを介してデータを受信し、
受信されるデータに基づいて、表示部に情報を表示させ、
前記データの受信が開始されてから、前記情報の表示が完了するまでの所定の期間において、前記表示部の光源の輝度を低下させ、
前記所定の期間の経過後に前記輝度を復元させる処理を、表示制御装置が実行する表示制御方法。
（付記５）
前記輝度を低下させる処理は、前記データの受信が開始されてから所定時間経過後の前記所定の期間において、前記表示部の光源の輝度を低下させる付記４記載の表示制御方法。
（付記６）
前記輝度を低下させる処理は、前記データを受信するための通信状態に応じて、前記所定時間を変化させる付記５記載の表示制御方法。
（付記７）
ネットワークを介してデータを受信し、
受信されるデータに基づいて、表示部に情報を表示させ、
前記データの受信が開始されてから、前記情報の表示が完了するまでの所定の期間において、前記表示部の光源の輝度を低下させ、前記所定の期間の経過後に前記輝度を復元させる処理を、表示制御装置に実行させるプログラム。
（付記８）
前記輝度を低下させる処理は、前記データの受信が開始されてから所定時間経過後の前記所定の期間において、前記表示部の光源の輝度を低下させる付記７記載のプログラム。
（付記９）
前記輝度を低下させる処理は、前記データを受信するための通信状態に応じて、前記所定時間を変化させる付記８記載のプログラム。
【符号の説明】
【００４７】
１０          携帯端末
１０１        ＣＰＵ
１０２        メモリ
１０３        補助記憶装置
１０４        タッチパネル
１０５        表示装置
１０６        入力装置
１０７        液晶バックライト
１０８        ハードキー
１０９        タイマ
１１０        無線通信装置
１２１        通信制御部
１２２        表示制御部
１２３        光源制御部
【図１】
2014072783.tif 000003
【図２】
2014072783.tif 000004
【図３】
2014072783.tif 000005
【図４】
2014072783.tif 000006
【図５】
2014072783.tif 000007
【図６】
2014072783.tif 000008